(57)【要約】【課題】本発明は多機能防護ヘルメットを開示した。【解決手段】ヘルメット及び前記ヘルメットの中に設置される遮蔽装置を含み、前記遮蔽装置は前記ヘルメットに設置される上収納溝を含み、前記上収納溝の中には遮蔽ブロックが設けられる；本発明は構成が簡単で、使用が便利で、使用する時、もし雨や雪の日であれば、制御ボタンを押し、使用者の前側の雨水を分流させ、また雨水を遮ることができ、保護メガネに流れて視線に影響することを防止し、使用者の安全を大いに保証し、同時に本発明は使用者の後側の雨水をガイドすることができ、服の中に流れ込むことを防止し、使用者の快適な乗り心地を保証する。【選択図】図１
2020153046.tif 000002
【特許請求の範囲】
【請求項１】
ヘルメット及び前記ヘルメットの中に設置される遮蔽装置を含み、前記遮蔽装置は前記ヘルメットに設置される上収納溝を含み、前記上収納溝の中には遮蔽ブロックが設けられ、前記遮蔽ブロックの中には左へ開口した前スライド溝が設けられ、前記前スライド溝の中には伸長ブロックがスライドできるように設けられ、前記伸長ブロックの右端と前記前スライド溝の右壁との間には前ばねにより接続され、前記遮蔽ブロックの中には右へ開口した後スライド溝が設けられ、前記後スライド溝の中には閉鎖板がスライドできるように設けられ、前記閉鎖板の左端と前記後スライド溝の左壁との間が後ばねにより接続され、前記遮蔽ブロックの中には前記後スライド溝と前記前スライド溝との間に位置する糸巻きチャンバが設けられ、前記糸巻きチャンバの後壁には糸巻きモータが固定的に設けられ、前記糸巻きモータが起動しない時に自己ロック状態であり、前記糸巻きモータの前端には糸巻き軸が動力が伝達できるように接続され、前記糸巻き軸にはリールが固定的に設けられ、前記リールには前引き線と、後引き線とが巻きつくように設けられ、前記前引き線の一端が前記伸長ブロックの右端に接続され、前記後引き線の一端が前記閉鎖板の左端に接続され、前記糸巻きモータが起動する時、前記閉鎖板と前記伸長ブロックとが突き出て雨水の流れを導き、前記ヘルメットの中には張り出し装置が設けられ、前記張り出し装置は張り出しロッドを含み、前記張り出しロッドが前記遮蔽ブロックと接続され、前記張り出しロッドが上へ運動する時に前記遮蔽ブロックを連動させて上へ運動させ、前記ヘルメットの中にはガイド装置が設けられ、前記ガイド装置と前記張り出し装置との間が伝動できるように係合されることを特徴とする多機能防護ヘルメット。
【請求項２】
前記伸張ブロックには収容溝が設けられ、前記収容溝の前後壁の間には接続軸が回転できるように設けられ、前記接続軸には阻み板が固定的に設けられ、前記阻み板には上へ開口したガイド溝が設けられ、前記ガイド溝は中間が高くて両側が低く、これにより水の流れを両側に導いて流出させる役割を果たし、前記収容溝の底壁の中には前記収容溝と連通するばね溝が設けられ、前記ばねの底壁と前記阻み板の下端面との間が押圧ばねにより接続され、これにより前記伸長ブロックを前記前スライド溝から張り出す時、前記阻み板が前記押圧ばねの作用のもとで跳ね上がることを特徴とする請求項１に記載の多機能防護ヘルメット。
【請求項３】
前記張り出し装置は前記ヘルメットの中に設置されるモータチャンバを含み、前記モータチャンバの中には張り出しモータが固定的に設けられ、前記ヘルメットの中にはネジ山ロッドチャンバが設けられ、前記張り出しモータには前記ネジ山ロッドチャンバの中に伸びている主動ネジ山ロッドが動力が伝達できるように接続され、前記ネジ山ロッドチャンバの中には前記張り出しロッドがスライドできるように設けられ、前記張り出しロッドの中にはネジ山チャンバが設けられ、前記主動ネジ山ロッドと前記ネジ山チャンバとがネジ山により接続され、前記張り出しロッドの後端面にはラックが固定的に設けられ、前記ヘルメットには、押さらることができ、且つ前記張り出しモータと電気的に係合される制御ボタンが設けられ、前記ガイド装置は前記ヘルメットの中に設置される下収納溝を含み、前記下収納溝が前記ネジ山ロッドチャンバと連通し、前記下収納溝の後壁には固定ブロックが固定的に設けられ、前記固定ブロックには中空回転軸が回転できるように設けられ、前記中空回転軸の一端には前記ラックと噛み合うギヤが固定的に設けられ、前記ギヤの中には前記固定ブロックとスライドできるように係合されるリードスクリューがネジ山により接続され、前記リードスクリューの右端にはガイド板が固定的に設けられ、これにより前記張り出し装置が上へ突き出る時に前記ガイド装置を連動させて突き出させることを特徴とする請求項１に記載の多機能防護ヘルメット。
【請求項４】
前記ヘルメットには回転できる保護メガネが設けられ、前記ヘルメットの中には空きチャンバが設けられることを特徴とする請求項１に記載の多機能防護ヘルメット。
【発明の詳細な説明】
【技術分野】
【０００１】
本発明はヘルメット技術分野を取り上げて、具体的には多機能防護ヘルメットである。
【背景技術】
【０００２】
自転車やバイクなどに乗る時、ヘルメットをかぶる必要があり、これにより頭部を保護し、危険から身を守り、乗る時に、もし雨や雪の日であれば、傘をさすことができない場合、保護メガネが雨や雪に覆われ、視線に影響し、それと同時に雨水がヘルメットに沿って服の中に流れ込み、服を濡らし、上記の欠点に、本装置を提出した。
【先行技術文献】
【特許文献】
【０００３】
【特許文献１】中国特許出願公開第１０６６９０６３３号明細書
【発明の概要】
【発明が解決しようとする課題】
【０００４】
上記技術の不足について、本発明は多機能防護ヘルメットを提案し、上記欠点を解消することを目的とする。
【課題を解決するための手段】
【０００５】
本発明装置の多機能防護ヘルメットは、ヘルメット及び前記ヘルメットの中に設置される遮蔽装置を含み、前記遮蔽装置は前記ヘルメットに設置される上収納溝を含み、前記上収納溝の中には遮蔽ブロックが設けられ、前記遮蔽ブロックの中には左へ開口した前スライド溝が設けられ、前記前スライド溝の中には伸長ブロックがスライドできるように設けられ、前記伸長ブロックの右端と前記前スライド溝の右壁との間には前ばねにより接続され、前記遮蔽ブロックの中には右へ開口した後スライド溝が設けられ、前記後スライド溝の中には閉鎖板がスライドできるように設けられ、前記閉鎖板の左端と前記後スライド溝の左壁との間が後ばねにより接続され、前記遮蔽ブロックの中には前記後スライド溝と前記前スライド溝との間に位置する糸巻きチャンバが設けられ、前記糸巻きチャンバの後壁には糸巻きモータが固定的に設けられ、前記糸巻きモータが起動しない時に自己ロック状態であり、前記糸巻きモータの前端には糸巻き軸が動力が伝達できるように接続され、前記糸巻き軸にはリールが固定的に設けられ、前記リールには前引き線と、後引き線とが巻きつくように設けられ、前記前引き線の一端が前記伸長ブロックの右端に接続され、前記後引き線の一端が前記閉鎖板の左端に接続され、前記糸巻きモータが起動する時、前記閉鎖板と前記伸長ブロックとが突き出て雨水の流れを導き、前記ヘルメットの中には張り出し装置が設けられ、前記張り出し装置は張り出しロッドを含み、前記張り出しロッドが前記遮蔽ブロックと接続され、前記張り出しロッドが上へ運動する時に前記遮蔽ブロックを連動させて上へ運動させ、前記ヘルメットの中にはガイド装置が設けられ、前記ガイド装置と前記張り出し装置との間が伝動できるように係合される。
【０００６】
好ましくは、前記伸張ブロックには収容溝が設けられ、前記収容溝の前後壁の間には接続軸が回転できるように設けられ、前記接続軸には阻み板が固定的に設けられ、前記阻み板には上へ開口したガイド溝が設けられ、前記ガイド溝は中間が高くて両側が低く、これにより水の流れを両側に導いて流出させる役割を果たし、前記収容溝の底壁の中には前記収容溝と連通するばね溝が設けられ、前記ばねの底壁と前記阻み板の下端面との間が押圧ばねにより接続され、これにより前記伸長ブロックを前記前スライド溝から張り出す時、前記阻み板が前記押圧ばねの作用のもとで跳ね上がる。
【０００７】
好ましくは、前記張り出し装置は前記ヘルメットの中に設置されるモータチャンバを含み、前記モータチャンバの中には張り出しモータが固定的に設けられ、前記ヘルメットの中にはネジ山ロッドチャンバが設けられ、前記張り出しモータには前記ネジ山ロッドチャンバの中に伸びている主動ネジ山ロッドが動力が伝達できるように接続され、前記ネジ山ロッドチャンバの中には前記張り出しロッドがスライドできるように設けられ、前記張り出しロッドの中にはネジ山チャンバが設けられ、前記主動ネジ山ロッドと前記ネジ山チャンバとがネジ山により接続され、前記張り出しロッドの後端面にはラックが固定的に設けられ、前記ヘルメットには、押さらることができ、且つ前記張り出しモータと電気的に係合される制御ボタンが設けられ、前記ガイド装置は前記ヘルメットの中に設置される下収納溝を含み、前記下収納溝が前記ネジ山ロッドチャンバと連通し、前記下収納溝の後壁には固定ブロックが固定的に設けられ、前記固定ブロックには中空回転軸が回転できるように設けられ、前記中空回転軸の一端には前記ラックと噛み合うギヤが固定的に設けられ、前記ギヤの中には前記固定ブロックとスライドできるように係合されるリードスクリューがネジ山により接続され、前記リードスクリューの右端にはガイド板が固定的に設けられ、これにより前記張り出し装置が上へ突き出る時に前記ガイド装置を連動させて突き出させる。
【０００８】
好ましくは、前記ヘルメットには回転できる保護メガネが設けられ、前記ヘルメットの中には空きチャンバが設けられる。
【発明の効果】
【０００９】
以上により、本発明は構成が簡単で、使用が便利で、使用する時、もし雨や雪の日であれば、制御ボタンを押し、使用者の前側の雨水を分流させ、また雨水を遮ることができ、保護メガネに流れて視線に影響することを防止し、使用者の安全を大いに保証し、同時に本発明は使用者の後側の雨水をガイドすることができ、服の中に流れ込むことを防止し、使用者の快適な乗り心地を保証する。
【図面の簡単な説明】
【００１０】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１１】
【図１】図１は本発明の多機能防護ヘルメットの全体構成模式図である；
【図２】図２は図１の中のＡ−Ａにおける構成模式図である；
【図３】図３は図１の中のＢにおける構成模式図である；
【図４】図４は図１の中のＣにおける構成模式図である。
【発明を実施するための形態】
【００１２】
以下は付図説明と実施例を交え、本発明について更に詳しく説明し、本発明の方式は以下の実施例を含むが、これのみに限定されるものではない。
【００１３】
図１〜４を参照し、本発明装置の多機能防護ヘルメットは、ヘルメット１０及び前記ヘルメット１０の中に設置される遮蔽装置１００を含み、前記遮蔽装置１００は前記ヘルメット１０に設置される上収納溝２１を含み、前記上収納溝２１の中には遮蔽ブロック２０が設けられ、前記遮蔽ブロック２０の中には左へ開口した前スライド溝３１が設けられ、前記前スライド溝３１の中には伸長ブロック３４がスライドできるように設けられ、前記伸長ブロック３４の右端と前記前スライド溝３１の右壁との間には前ばね３６により接続され、前記遮蔽ブロック２０の中には右へ開口した後スライド溝１９が設けられ、前記後スライド溝１９の中には閉鎖板１８がスライドできるように設けられ、前記閉鎖板１８の左端と前記後スライド溝１９の左壁との間が後ばね４４により接続され、前記遮蔽ブロック２０の中には前記後スライド溝１９と前記前スライド溝３１との間に位置する糸巻きチャンバ３９が設けられ、前記糸巻きチャンバ３９の後壁には糸巻きモータ４１が固定的に設けられ、前記糸巻きモータ４１が起動しない時に自己ロック状態であり、前記糸巻きモータ４１の前端には糸巻き軸４２が動力が伝達できるように接続され、前記糸巻き軸４２にはリール４０が固定的に設けられ、前記リール４０には前引き線３５と、後引き線４３とが巻きつくように設けられ、前記前引き線３５の一端が前記伸長ブロック３４の右端に接続され、前記後引き線４３の一端が前記閉鎖板１８の左端に接続され、前記糸巻きモータ４１が起動する時、前記閉鎖板１８と前記伸長ブロック３４とが突き出て雨水の流れを導き、前記ヘルメット１０の中には張り出し装置２００が設けられ、前記張り出し装置２００は張り出しロッド１４を含み、前記張り出しロッド１４が前記遮蔽ブロック２０と接続され、前記張り出しロッド１４が上へ運動する時に前記遮蔽ブロック２０を連動させて上へ運動させ、前記ヘルメット１０の中にはガイド装置３００が設けられ、前記ガイド装置３００と前記張り出し装置２００との間が伝動できるように係合される。
【００１４】
有益的には、前記伸張ブロック３４には収容溝４５が設けられ、前記収容溝４５の前後壁の間には接続軸４６が回転できるように設けられ、前記接続軸４６には阻み板３２が固定的に設けられ、前記阻み板３２には上へ開口したガイド溝３３が設けられ、前記ガイド溝３３は中間が高くて両側が低く、これにより水の流れを両側に導いて流出させる役割を果たし、前記収容溝４５の底壁の中には前記収容溝４５と連通するばね溝３７が設けられ、前記ばね３７の底壁と前記阻み板３２の下端面との間が押圧ばね３８により接続され、これにより前記伸長ブロック３４を前記前スライド溝３１から張り出す時、前記阻み板３２が前記押圧ばね３８の作用のもとで跳ね上がる。
【００１５】
有益的には、前記張り出し装置２００は前記ヘルメット１０の中に設置されるモータチャンバ２６を含み、前記モータチャンバ２６の中には張り出しモータ１７が固定的に設けられ、前記ヘルメット１０の中にはネジ山ロッドチャンバ１６が設けられ、前記張り出しモータ１７には前記ネジ山ロッドチャンバ１６の中に伸びている主動ネジ山ロッド１５が動力が伝達できるように接続され、前記ネジ山ロッドチャンバ１６の中には前記張り出しロッド１４がスライドできるように設けられ、前記張り出しロッド１４の中にはネジ山チャンバ１３が設けられ、前記主動ネジ山ロッド１５と前記ネジ山チャンバ１３とがネジ山により接続され、前記張り出しロッド１４の後端面にはラック２８が固定的に設けられ、前記ヘルメット１０には、押さらることができ、且つ前記張り出しモータ１７と電気的に係合される制御ボタン２７が設けられ、前記ガイド装置３００は前記ヘルメット１０の中に設置される下収納溝２２を含み、前記下収納溝２２が前記ネジ山ロッドチャンバ１６と連通し、前記下収納溝２２の後壁には固定ブロック２５が固定的に設けられ、前記固定ブロック２５には中空回転軸３０が回転できるように設けられ、前記中空回転軸３０の一端には前記ラック２８と噛み合うギヤ２９が固定的に設けられ、前記ギヤ２９の中には前記固定ブロック２５とスライドできるように係合されるリードスクリュー２４がネジ山により接続され、前記リードスクリュー２４の右端にはガイド板２３が固定的に設けられ、これにより前記張り出し装置２００が上へ突き出る時に前記ガイド装置３００を連動させて突き出させる。
【００１６】
有益的には、前記ヘルメット１０には回転できる保護メガネ１１が設けられ、前記ヘルメット１０の中には空きチャンバ１２が設けられる。
【００１７】
前記の多機能防護ヘルメットの実現方法は、以下のステップを含む：
【００１８】
使用者が頭を空きチャンバ１２の中に入れてヘルメット１０を着用し、雨や雪の日であれば、制御ボタン２７を押して張り出しモータ１７を始動し、主動ネジ山ロッド１５が回転して張り出しロッド１４を上へ運動させ、また遮蔽ブロック２０を連動させて上へ運動させ、張り出しロッド１４がラック２８によりギヤ２９を連動させて回転させ、これによりリードスクリュー２４がガイド板２３を連動させて突き出させ、張り出しロッド１４が指定された位置まで突き出る時、張り出しモータ１７が閉じ、糸巻きモータ４１が起動して糸巻き軸４２によりリール４０を連動させて回転させて線を引き出し始め、閉鎖板１８が後ばね４４の作用のもとで突き出、閉鎖板１８が突き出た後、上収納溝２１の右側を閉鎖し、雨水が上収納溝２１の中に入ることを防止し、雨水の流れをガイド板２３に導いて流出させ、伸長ブロック３４が前ばね３６の作用のもとで突き出、伸長ブロック３４が突き出た後、阻み板３２が押圧ばね３８の作用のもとで跳ね上がり、雨水がガイド溝３３の作用のもとで前後両側に導かれて流出する；
【００１９】
復帰する時、再び制御ボタン２７を押して糸巻きモータ４１と、張り出しモータ１７とを順に逆方向へ回転させて復帰させる。
【００２０】
以上により、本発明は構成が簡単で、使用が便利で、使用する時、もし雨や雪の日であれば、制御ボタンを押し、使用者の前側の雨水を分流させ、また雨水を遮ることができ、保護メガネに流れて視線に影響することを防止し、使用者の安全を大いに保証し、同時に本発明は使用者の後側の雨水をガイドすることができ、服の中に流れ込むことを防止し、使用者の快適な乗り心地を保証する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020153046.tif 000003
【図２】
2020153046.tif 000004
【図３】
2020153046.tif 000005
【図４】
2020153046.tif 000006
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
ヘルメット及び前記ヘルメットの中に設置される遮蔽装置を含み、前記遮蔽装置は前記ヘルメットに設置される上収納溝を含み、前記上収納溝の中には遮蔽ブロックが設けられ、前記遮蔽ブロックの中には左へ開口した前スライド溝が設けられ、前記前スライド溝の中には左右にスライド可能な伸長ブロックが取り付けられ、前記伸長ブロックの右端と前記前スライド溝の右壁との間には前ばねにより接続され、前記遮蔽ブロックの中には右へ開口した後スライド溝が設けられ、前記後スライド溝の中には左右にスライド可能な閉鎖板が取り付けられ、前記閉鎖板の左端と前記後スライド溝の左壁との間が後ばねにより接続され、前記遮蔽ブロックの中には前記後スライド溝と前記前スライド溝との間に位置する糸巻きチャンバが設けられ、前記糸巻きチャンバの後壁には糸巻きモータが固定的に設けられ、前記糸巻きモータが起動しない時に自己ロック状態であり、前記糸巻きモータの前端には糸巻き軸が動力が伝達できるように接続され、前記糸巻き軸にはリールが固定的に設けられ、前記リールには前引き線と、後引き線とが巻きつくように設けられ、前記前引き線の一端が前記伸長ブロックの右端に接続され、前記後引き線の一端が前記閉鎖板の左端に接続され、
前記伸長ブロックには収容溝が設けられ、前記収容溝の前後壁の間には接続軸が回転できるように設けられ、前記接続軸には阻み板が固定的に設けられ、前記阻み板には上へ開口したガイド溝が設けられ、前記ガイド溝は中間が高くて前後両側が低く、これにより水の流れを前後両側に導いて流出させる役割を果たし、前記収容溝の底壁の中には前記収容溝と連通するばね溝が設けられ、前記ばね溝の底壁と前記阻み板の下端面との間が押圧ばねにより接続され、これにより前記伸長ブロックを前記前スライド溝から張り出す時、前記阻み板が前記押圧ばねの作用のもとで跳ね上がり、
前記ヘルメットの中には張り出し装置が設けられ、前記張り出し装置は前記ヘルメットの中に設置されるモータチャンバを含み、前記モータチャンバの中には張り出しモータが固定的に設けられ、前記ヘルメットの中にはネジ山ロッドチャンバが設けられ、前記張り出しモータには前記ネジ山ロッドチャンバの中に伸びている主動ネジ山ロッドが動力が伝達できるように接続され、前記ネジ山ロッドチャンバの中には張り出しロッドがスライドできるように設けられ、前記張り出しロッドの中にはネジ山チャンバが設けられ、前記主動ネジ山ロッドと前記ネジ山チャンバとがネジ山により接続され、前記張り出しロッドの後端面にはラックが固定的に設けられ、前記ヘルメットには、押されることができ、且つ前記張り出しモータと電気的に係合される制御ボタンが設けられ、前記ガイド装置は前記ヘルメットの中に設置される下収納溝を含み、前記下収納溝が前記ネジ山ロッドチャンバと連通し、前記下収納溝の後壁には固定ブロックが固定的に設けられ、前記固定ブロックには中空回転軸が回転できるように設けられ、前記中空回転軸の一端には前記ラックと噛み合うギヤが固定的に設けられ、前記ギヤの中には前記固定ブロックとスライドできるように係合されるリードスクリューがネジ山により接続され、前記リードスクリューの右端には前記ガイド板が固定的に設けられ、これにより前記張り出し装置が上へ突き出る時に前記ガイド装置を連動させて突き出させ、
前記張り出しロッドが前記遮蔽ブロックと接続され、前記張り出しロッドが上へ運動する時に前記遮蔽ブロックを連動させて上へ運動させ、前記ヘルメットの中にはガイド装置が設けられ、前記ガイド装置と前記張り出し装置との間が伝動できるように係合されており、
使用者が頭を前記空きチャンバの中に入れてヘルメットを着用し、雨や雪の日であれば、前記制御ボタンを押して前記張り出しモータを始動し、前記主動ネジ山ロッドが回転して前記張り出しロッドを上へ運動させ、また前記遮蔽ブロックを連動させて上へ運動させ、前記張り出しロッドが前記ラックにより前記ギヤを連動させて回転させ、これにより前記リードスクリューが前記ガイド板を連動させて突き出させ、前記張り出しロッドが指定された位置まで突き出る時、前記張り出しモータが閉じ、前記糸巻きモータが起動して前記糸巻き軸により前記リールを連動させて回転させて前記線を引き出し始め、前記閉鎖板が前記後ばねの作用のもとで突き出、前記閉鎖板が突き出た後、前記上収納溝の右側を閉鎖し、雨水が前記上収納溝の中に入ることを防止し、雨水の流れを前記ガイド板に導いて流出させ、前記伸長ブロックが前記前ばねの作用のもとで突き出、前記伸長ブロックが突き出た後、前記阻み板が前記押圧ばねの作用のもとで跳ね上がり、雨水が前記ガイド溝の作用のもとで前後両側に導かれて流出することを特徴とする多機能防護ヘルメット。
【請求項２】
前記ヘルメットには回転できる保護メガネが設けられ、前記ヘルメットの中には空きチャンバが設けられることを特徴とする請求項１に記載の多機能防護ヘルメット。
【手続補正２】
【補正対象書類名】明細書
【補正対象項目名】全文
【補正方法】変更
【補正の内容】
【発明の詳細な説明】
【技術分野】
【０００１】
本発明はヘルメット技術分野を取り上げて、具体的には多機能防護ヘルメットである。
【背景技術】
【０００２】
自転車やバイクなどに乗る時、ヘルメットをかぶる必要があり、これにより頭部を保護し、危険から身を守り、乗る時に、もし雨や雪の日であれば、傘をさすことができない場合、保護メガネが雨や雪に覆われ、視線に影響し、それと同時に雨水がヘルメットに沿って服の中に流れ込み、服を濡らし、上記の欠点に、本装置を提出した。
【先行技術文献】
【特許文献】
【０００３】
【特許文献１】中国特許出願公開第１０６６９０６３３号明細書
【発明の概要】
【発明が解決しようとする課題】
【０００４】
上記技術の不足について、本発明は多機能防護ヘルメットを提案し、上記欠点を解消することを目的とする。
【課題を解決するための手段】
【０００５】
本発明装置の多機能防護ヘルメットは、ヘルメット及び前記ヘルメットの中に設置される遮蔽装置を含み、前記遮蔽装置は前記ヘルメットに設置される上収納溝を含み、前記上収納溝の中には遮蔽ブロックが設けられ、前記遮蔽ブロックの中には左へ開口した前スライド溝が設けられ、前記前スライド溝の中には左右にスライド可能な伸長ブロックが取り付けられ、前記伸長ブロックの右端と前記前スライド溝の右壁との間には前ばねにより接続され、前記遮蔽ブロックの中には右へ開口した後スライド溝が設けられ、前記後スライド溝の中には左右にスライド可能な閉鎖板が取り付けられ、前記閉鎖板の左端と前記後スライド溝の左壁との間が後ばねにより接続され、前記遮蔽ブロックの中には前記後スライド溝と前記前スライド溝との間に位置する糸巻きチャンバが設けられ、前記糸巻きチャンバの後壁には糸巻きモータが固定的に設けられ、前記糸巻きモータが起動しない時に自己ロック状態であり、前記糸巻きモータの前端には糸巻き軸が動力が伝達できるように接続され、前記糸巻き軸にはリールが固定的に設けられ、前記リールには前引き線と、後引き線とが巻きつくように設けられ、前記前引き線の一端が前記伸長ブロックの右端に接続され、前記後引き線の一端が前記閉鎖板の左端に接続され、前記糸巻きモータが起動する時、前記閉鎖板と前記伸長ブロックとが突き出て雨水の流れを導き、前記ヘルメットの中には張り出し装置が設けられ、前記張り出し装置は張り出しロッドを含み、前記張り出しロッドが前記遮蔽ブロックと接続され、前記張り出しロッドが上へ運動する時に前記遮蔽ブロックを連動させて上へ運動させ、前記ヘルメットの中にはガイド装置が設けられ、前記ガイド装置と前記張り出し装置との間が伝動できるように係合される。
【０００６】
好ましくは、前記伸長ブロックには収容溝が設けられ、前記収容溝の前後壁の間には接続軸が回転できるように設けられ、前記接続軸には阻み板が固定的に設けられ、前記阻み板には上へ開口したガイド溝が設けられ、前記ガイド溝は中間が高くて前後両側が低く、これにより水の流れを前後両側に導いて流出させる役割を果たし、前記収容溝の底壁の中には前記収容溝と連通するばね溝が設けられ、前記ばね溝の底壁と前記阻み板の下端面との間が押圧ばねにより接続され、これにより前記伸長ブロックを前記前スライド溝から張り出す時、前記阻み板が前記押圧ばねの作用のもとで跳ね上がる。
【０００７】
好ましくは、前記張り出し装置は前記ヘルメットの中に設置されるモータチャンバを含み、前記モータチャンバの中には張り出しモータが固定的に設けられ、前記ヘルメットの中にはネジ山ロッドチャンバが設けられ、前記張り出しモータには前記ネジ山ロッドチャンバの中に伸びている主動ネジ山ロッドが動力が伝達できるように接続され、前記ネジ山ロッドチャンバの中には前記張り出しロッドがスライドできるように設けられ、前記張り出しロッドの中にはネジ山チャンバが設けられ、前記主動ネジ山ロッドと前記ネジ山チャンバとがネジ山により接続され、前記張り出しロッドの後端面にはラックが固定的に設けられ、前記ヘルメットには、押されることができ、且つ前記張り出しモータと電気的に係合される制御ボタンが設けられ、前記ガイド装置は前記ヘルメットの中に設置される下収納溝を含み、前記下収納溝が前記ネジ山ロッドチャンバと連通し、前記下収納溝の後壁には固定ブロックが固定的に設けられ、前記固定ブロックには中空回転軸が回転できるように設けられ、前記中空回転軸の一端には前記ラックと噛み合うギヤが固定的に設けられ、前記ギヤの中には前記固定ブロックとスライドできるように係合されるリードスクリューがネジ山により接続され、前記リードスクリューの右端にはガイド板が固定的に設けられ、これにより前記張り出し装置が上へ突き出る時に前記ガイド装置を連動させて突き出させる。
【０００８】
好ましくは、前記ヘルメットには回転できる保護メガネが設けられ、前記ヘルメットの中には空きチャンバが設けられる。
【発明の効果】
【０００９】
以上により、本発明は構成が簡単で、使用が便利で、使用する時、もし雨や雪の日であれば、制御ボタンを押し、使用者の前側の雨水を分流させ、また雨水を遮ることができ、保護メガネに流れて視線に影響することを防止し、使用者の安全を大いに保証し、同時に本発明は使用者の後側の雨水をガイドすることができ、服の中に流れ込むことを防止し、使用者の快適な乗り心地を保証する。
【図面の簡単な説明】
【００１０】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１１】
【図１】図１は本発明の多機能防護ヘルメットの全体構成模式図
【図２】図２は図１の中のＡ−Ａにおける構成模式図
【図３】図３は図１の中のＢにおける構成模式図
【図４】図４は図１の中のＣにおける構成模式図
【発明を実施するための形態】
【００１２】
以下は付図説明と実施例を交え、本発明について更に詳しく説明し、本発明の方式は以下の実施例を含むが、これのみに限定されるものではない。
【００１３】
図１〜４を参照し、本発明装置の多機能防護ヘルメットは、ヘルメット１０及び前記ヘル
メット１０の中に設置される遮蔽装置１００を含み、前記遮蔽装置１００は前記ヘルメット１０に設置される上収納溝２１を含み、前記上収納溝２１の中には遮蔽ブロック２０が設けられ、前記遮蔽ブロック２０の中には左へ開口した前スライド溝３１が設けられ、前記前スライド溝31の中には左右にスライド可能な伸長ブロック34が取り付けられ、前記伸長ブロック３４の右端と前記前スライド溝３１の右壁との間には前ばね３６により接続され、前記遮蔽ブロック２０の中には右へ開口した後スライド溝１９が設けられ、前記後スライド溝19の中には左右にスライド可能な閉鎖板18が取り付けられ、前記閉鎖板１８の左端と前記後スライド溝１９の左壁との間が後ばね４４により接続され、前記遮蔽ブロック２０の中には前記後スライド溝１９と前記前スライド溝３１との間に位置する糸巻きチャンバ３９が設けられ、前記糸巻きチャンバ３９の後壁には糸巻きモータ４１が固定的に設けられ、前記糸巻きモータ４１が起動しない時に自己ロック状態であり、前記糸巻きモータ４１の前端には糸巻き軸４２が動力が伝達できるように接続され、前記糸巻き軸４２にはリール４０が固定的に設けられ、前記リール４０には前引き線３５と、後引き線４３とが巻きつくように設けられ、前記前引き線３５の一端が前記伸長ブロック３４の右端に接続され、前記後引き線４３の一端が前記閉鎖板１８の左端に接続され、前記糸巻きモータ４１が起動する時、前記閉鎖板１８と前記伸長ブロック３４とが突き出て雨水の流れを導き、前記ヘルメット１０の中には張り出し装置２００が設けられ、前記張り出し装置２００は張り出しロッド１４を含み、前記張り出しロッド１４が前記遮蔽ブロック２０と接続され、前記張り出しロッド１４が上へ運動する時に前記遮蔽ブロック２０を連動させて上へ運動させ、前記ヘルメット１０の中にはガイド装置３００が設けられ、前記ガイド装置３００と前記張り出し装置２００との間が伝動できるように係合される。
【００１４】
有益的には、前記伸長ブロック３４には収容溝４５が設けられ、前記収容溝４５の前後壁の間には接続軸４６が回転できるように設けられ、前記接続軸４６には阻み板３２が固定的に設けられ、前記阻み板３２には上へ開口したガイド溝３３が設けられ、前記ガイド溝33は中間が高くて前後両側が低く、これにより水の流れを前後両側に導いて流出させる役割を果たし、前記収容溝４５の底壁の中には前記収容溝４５と連通するばね溝３７が設けられ、前記ばね溝３７の底壁と前記阻み板３２の下端面との間が押圧ばね３８により接続され、これにより前記伸長ブロック３４を前記前スライド溝３１から張り出す時、前記阻み板３２が前記押圧ばね３８の作用のもとで跳ね上がる。
【００１５】
有益的には、前記張り出し装置２００は前記ヘルメット１０の中に設置されるモータチャンバ２６を含み、前記モータチャンバ２６の中には張り出しモータ１７が固定的に設けられ、前記ヘルメット１０の中にはネジ山ロッドチャンバ１６が設けられ、前記張り出しモータ１７には前記ネジ山ロッドチャンバ１６の中に伸びている主動ネジ山ロッド１５が動力が伝達できるように接続され、前記ネジ山ロッドチャンバ１６の中には前記張り出しロッド１４がスライドできるように設けられ、前記張り出しロッド１４の中にはネジ山チャンバ１３が設けられ、前記主動ネジ山ロッド１５と前記ネジ山チャンバ１３とがネジ山により接続され、前記張り出しロッド１４の後端面にはラック２８が固定的に設けられ、前記ヘルメット１０には、押されることができ、且つ前記張り出しモータ１７と電気的に係合される制御ボタン２７が設けられ、前記ガイド装置３００は前記ヘルメット１０の中に設置される下収納溝２２を含み、前記下収納溝２２が前記ネジ山ロッドチャンバ１６と連通し、前記下収納溝２２の後壁には固定ブロック２５が固定的に設けられ、前記固定ブロック２５には中空回転軸３０が回転できるように設けられ、前記中空回転軸３０の一端には前記ラック２８と噛み合うギヤ２９が固定的に設けられ、前記ギヤ２９の中には前記固定ブロック２５とスライドできるように係合されるリードスクリュー２４がネジ山により接続され、前記リードスクリュー２４の右端にはガイド板２３が固定的に設けられ、これにより前記張り出し装置２００が上へ突き出る時に前記ガイド装置３００を連動させて突き出させる。
【００１６】
有益的には、前記ヘルメット１０には回転できる保護メガネ１１が設けられ、前記ヘルメット１０の中には空きチャンバ１２が設けられる。
【００１７】
前記の多機能防護ヘルメットの実現方法は、以下のステップを含む：
【００１８】
使用者が頭を空きチャンバ１２の中に入れてヘルメット１０を着用し、雨や雪の日であれば、制御ボタン２７を押して張り出しモータ１７を始動し、主動ネジ山ロッド１５が回転して張り出しロッド１４を上へ運動させ、また遮蔽ブロック２０を連動させて上へ運動させ、張り出しロッド１４がラック２８によりギヤ２９を連動させて回転させ、これによりリードスクリュー２４がガイド板２３を連動させて突き出させ、張り出しロッド１４が指定された位置まで突き出る時、張り出しモータ１７が閉じ、糸巻きモータ４１が起動して糸巻き軸４２によりリール４０を連動させて回転させて線を引き出し始め、閉鎖板１８が後ばね４４の作用のもとで突き出、閉鎖板１８が突き出た後、上収納溝２１の右側を閉鎖し、雨水が上収納溝２１の中に入ることを防止し、雨水の流れをガイド板２３に導いて流出させ、伸長ブロック３４が前ばね３６の作用のもとで突き出、伸長ブロック３４が突き出た後、阻み板３２が押圧ばね３８の作用のもとで跳ね上がり、雨水がガイド溝３３の作用のもとで前後両側に導かれて流出する。
【００１９】
復帰する時、再び制御ボタン２７を押して糸巻きモータ４１と、張り出しモータ１７とを順に逆方向へ回転させて復帰させる。
【００２０】
以上により、本発明は構成が簡単で、使用が便利で、使用する時、もし雨や雪の日であれば、制御ボタンを押し、使用者の前側の雨水を分流させ、また雨水を遮ることができ、保護メガネに流れて視線に影響することを防止し、使用者の安全を大いに保証し、同時に本発明は使用者の後側の雨水をガイドすることができ、服の中に流れ込むことを防止し、使用者の快適な乗り心地を保証する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
ヘルメット及び前記ヘルメットの中に設置される遮蔽装置を含み、前記遮蔽装置は前記ヘルメットに設置される上収納溝を含み、前記上収納溝の中には遮蔽ブロックが設けられ、前記遮蔽ブロックの中には左へ開口した前スライド溝が設けられ、前記前スライド溝の中には左右にスライド可能な伸長ブロックが取り付けられ、前記伸長ブロックの右端と前記前スライド溝の右壁との間には前ばねにより接続され、前記遮蔽ブロックの中には右へ開口した後スライド溝が設けられ、前記後スライド溝の中には左右にスライド可能な閉鎖板が取り付けられ、前記閉鎖板の左端と前記後スライド溝の左壁との間が後ばねにより接続され、前記遮蔽ブロックの中には前記後スライド溝と前記前スライド溝との間に位置する糸巻きチャンバが設けられ、前記糸巻きチャンバの後壁には糸巻きモータが固定的に設けられ、前記糸巻きモータが起動しない時に自己ロック状態であり、前記糸巻きモータの前端には糸巻き軸が動力が伝達できるように接続され、前記糸巻き軸にはリールが固定的に設けられ、前記リールには前引き線と、後引き線とが巻きつくように設けられ、前記前引き線の一端が前記伸長ブロックの右端に接続され、前記後引き線の一端が前記閉鎖板の左端に接続され、
前記伸長ブロックには収容溝が設けられ、前記収容溝の前後壁の間には接続軸が回転できるように設けられ、前記接続軸には阻み板が固定的に設けられ、前記阻み板には上へ開口したガイド溝が設けられ、前記ガイド溝は中間が高くて前後両側が低く、これにより水の流れを前後両側に導いて流出させる役割を果たし、前記収容溝の底壁の中には前記収容溝と連通するばね溝が設けられ、前記ばね溝の底壁と前記阻み板の下端面との間が押圧ばねにより接続され、これにより前記伸長ブロックを前記前スライド溝から張り出す時、前記阻み板が前記押圧ばねの作用のもとで跳ね上がり、
前記ヘルメットの中には張り出し装置が設けられ、前記ヘルメットの中にはガイド装置が設置され、前記ガイド装置と前記張り出し装置とが伝動可能に係合され、前記張り出し装置は前記ヘルメットの中に設置されるモータチャンバを含み、前記モータチャンバの中には張り出しモータが固定的に設けられ、前記ヘルメットの中にはネジ山ロッドチャンバが設けられ、前記張り出しモータには前記ネジ山ロッドチャンバの中に伸びている主動ネジ山ロッドが動力が伝達できるように接続され、前記ネジ山ロッドチャンバの中には張り出しロッドがスライドできるように設けられ、前記張り出しロッドの中にはネジ山チャンバが設けられ、前記主動ネジ山ロッドと前記ネジ山チャンバとがネジ山により接続され、前記張り出しロッドの後端面にはラックが固定的に設けられ、前記ヘルメットには、押されることができ、且つ前記張り出しモータと電気的に係合される制御ボタンが設けられ、前記ガイド装置は前記ヘルメットの中に設置される下収納溝を含み、前記下収納溝が前記ネジ山ロッドチャンバと連通し、前記下収納溝の後壁には固定ブロックが固定的に設けられ、前記固定ブロックには中空回転軸が回転できるように設けられ、前記中空回転軸の一端には前記ラックと噛み合うギヤが固定的に設けられ、前記ギヤの中には前記固定ブロックとスライドできるように係合されるリードスクリューがネジ山により接続され、前記リードスクリューの右端にはガイド板が固定的に設けられ、これにより前記張り出し装置が上へ突き出る時に前記ガイド装置を連動させて突き出させ、
前記張り出しロッドが前記遮蔽ブロックと接続され、前記張り出しロッドが上へ運動する時に前記遮蔽ブロックを連動させて上へ運動させ、
前記ヘルメットの中には空きチャンバが設置され、使用者が頭を前記空きチャンバの中に入れてヘルメットを着用し、雨や雪の日であれば、前記制御ボタンを押して前記張り出しモータを始動し、前記主動ネジ山ロッドが回転して前記張り出しロッドを上へ運動させ、また前記遮蔽ブロックを連動させて上へ運動させ、前記張り出しロッドが前記ラックにより前記ギヤを連動させて回転させ、これにより前記リードスクリューが前記ガイド板を連動させて突き出させ、前記張り出しロッドが指定された位置まで突き出る時、前記張り出しモータが閉じ、前記糸巻きモータが起動して前記糸巻き軸により前記リールを連動させて回転させて前記線を引き出し始め、前記閉鎖板が前記後ばねの作用のもとで突き出、前記閉鎖板が突き出た後、前記上収納溝の右側を閉鎖し、雨水が前記上収納溝の中に入ることを防止し、雨水の流れを前記ガイド板に導いて流出させ、前記伸長ブロックが前記前ばねの作用のもとで突き出、前記伸長ブロックが突き出た後、前記阻み板が前記押圧ばねの作用のもとで跳ね上がり、雨水が前記ガイド溝の作用のもとで前後両側に導かれて流出し、
前記ヘルメットには回転できる保護メガネが設けられることを特徴とする多機能防護ヘルメット。 
【手続補正２】
【補正対象書類名】明細書
【補正対象項目名】全文
【補正方法】変更
【補正の内容】
【発明の詳細な説明】
【技術分野】
【０００１】
本発明はヘルメット技術分野を取り上げて、具体的には多機能防護ヘルメットである。
【背景技術】
【０００２】
自転車やバイクなどに乗る時、ヘルメットをかぶる必要があり、これにより頭部を保護し、危険から身を守り、乗る時に、もし雨や雪の日であれば、傘をさすことができない場合、保護メガネが雨や雪に覆われ、視線に影響し、それと同時に雨水がヘルメットに沿って服の中に流れ込み、服を濡らし、上記の欠点に、本装置を提出した。
【先行技術文献】
【特許文献】
【０００３】
【特許文献１】中国特許出願公開第１０６６９０６３３号明細書
【発明の概要】
【発明が解決しようとする課題】
【０００４】
上記技術の不足について、本発明は多機能防護ヘルメットを提案し、上記欠点を解消することを目的とする。
【課題を解決するための手段】
【０００５】
本発明装置の多機能防護ヘルメットは、ヘルメット及び前記ヘルメットの中に設置される遮蔽装置を含み、前記遮蔽装置は前記ヘルメットに設置される上収納溝を含み、前記上収納溝の中には遮蔽ブロックが設けられ、前記遮蔽ブロックの中には左へ開口した前スライド溝が設けられ、前記前スライド溝の中には左右にスライド可能な伸長ブロックが取り付けられ、前記伸長ブロックの右端と前記前スライド溝の右壁との間には前ばねにより接続され、前記遮蔽ブロックの中には右へ開口した後スライド溝が設けられ、前記後スライド溝の中には左右にスライド可能な閉鎖板が取り付けられ、前記閉鎖板の左端と前記後スライド溝の左壁との間が後ばねにより接続され、前記遮蔽ブロックの中には前記後スライド溝と前記前スライド溝との間に位置する糸巻きチャンバが設けられ、前記糸巻きチャンバの後壁には糸巻きモータが固定的に設けられ、前記糸巻きモータが起動しない時に自己ロック状態であり、前記糸巻きモータの前端には糸巻き軸が動力が伝達できるように接続され、前記糸巻き軸にはリールが固定的に設けられ、前記リールには前引き線と、後引き線とが巻きつくように設けられ、前記前引き線の一端が前記伸長ブロックの右端に接続され、前記後引き線の一端が前記閉鎖板の左端に接続され、前記糸巻きモータが起動する時、前記閉鎖板と前記伸長ブロックとが突き出て雨水の流れを導き、前記ヘルメットの中には張り出し装置が設けられ、前記張り出し装置は張り出しロッドを含み、前記張り出しロッドが前記遮蔽ブロックと接続され、前記張り出しロッドが上へ運動する時に前記遮蔽ブロックを連動させて上へ運動させ、前記ヘルメットの中にはガイド装置が設けられ、前記ガイド装置と前記張り出し装置との間が伝動できるように係合される。
【０００６】
好ましくは、前記伸長ブロックには収容溝が設けられ、前記収容溝の前後壁の間には接続軸が回転できるように設けられ、前記接続軸には阻み板が固定的に設けられ、前記阻み板には上へ開口したガイド溝が設けられ、前記ガイド溝は中間が高くて前後両側が低く、これにより水の流れを前後両側に導いて流出させる役割を果たし、前記収容溝の底壁の中には前記収容溝と連通するばね溝が設けられ、前記ばね溝の底壁と前記阻み板の下端面との間が押圧ばねにより接続され、これにより前記伸長ブロックを前記前スライド溝から張り出す時、前記阻み板が前記押圧ばねの作用のもとで跳ね上がる。
【０００７】
好ましくは、前記張り出し装置は前記ヘルメットの中に設置されるモータチャンバを含み、前記モータチャンバの中には張り出しモータが固定的に設けられ、前記ヘルメットの中にはネジ山ロッドチャンバが設けられ、前記張り出しモータには前記ネジ山ロッドチャンバの中に伸びている主動ネジ山ロッドが動力が伝達できるように接続され、前記ネジ山ロッドチャンバの中には前記張り出しロッドがスライドできるように設けられ、前記張り出しロッドの中にはネジ山チャンバが設けられ、前記主動ネジ山ロッドと前記ネジ山チャンバとがネジ山により接続され、前記張り出しロッドの後端面にはラックが固定的に設けられ、前記ヘルメットには、押されることができ、且つ前記張り出しモータと電気的に係合される制御ボタンが設けられ、前記ガイド装置は前記ヘルメットの中に設置される下収納溝を含み、前記下収納溝が前記ネジ山ロッドチャンバと連通し、前記下収納溝の後壁には固定ブロックが固定的に設けられ、前記固定ブロックには中空回転軸が回転できるように設けられ、前記中空回転軸の一端には前記ラックと噛み合うギヤが固定的に設けられ、前記ギヤの中には前記固定ブロックとスライドできるように係合されるリードスクリューがネジ山により接続され、前記リードスクリューの右端にはガイド板が固定的に設けられ、これにより前記張り出し装置が上へ突き出る時に前記ガイド装置を連動させて突き出させる。
【０００８】
好ましくは、前記ヘルメットには回転できる保護メガネが設けられ、前記ヘルメットの中には空きチャンバが設けられる。
【発明の効果】
【０００９】
以上により、本発明は構成が簡単で、使用が便利で、使用する時、もし雨や雪の日であれば、制御ボタンを押し、使用者の前側の雨水を分流させ、また雨水を遮ることができ、保護メガネに流れて視線に影響することを防止し、使用者の安全を大いに保証し、同時に本発明は使用者の後側の雨水をガイドすることができ、服の中に流れ込むことを防止し、使用者の快適な乗り心地を保証する。
【図面の簡単な説明】
【００１０】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１１】
【図１】図１は本発明の多機能防護ヘルメットの全体構成模式図
【図２】図２は図１の中のＡ−Ａにおける構成模式図
【図３】図３は図１の中のＢにおける構成模式図
【図４】図４は図１の中のＣにおける構成模式図
【発明を実施するための形態】
【００１２】
以下は付図説明と実施例を交え、本発明について更に詳しく説明し、本発明の方式は以下の実施例を含むが、これのみに限定されるものではない。
【００１３】
図１〜４を参照し、本発明装置の多機能防護ヘルメットは、ヘルメット１０及び前記ヘル
メット１０の中に設置される遮蔽装置１００を含み、前記遮蔽装置１００は前記ヘルメット１０に設置される上収納溝２１を含み、前記上収納溝２１の中には遮蔽ブロック２０が設けられ、前記遮蔽ブロック２０の中には左へ開口した前スライド溝３１が設けられ、前記前スライド溝31の中には左右にスライド可能な伸長ブロック34が取り付けられ、前記伸長ブロック３４の右端と前記前スライド溝３１の右壁との間には前ばね３６により接続され、前記遮蔽ブロック２０の中には右へ開口した後スライド溝１９が設けられ、前記後スライド溝19の中には左右にスライド可能な閉鎖板18が取り付けられ、前記閉鎖板１８の左端と前記後スライド溝１９の左壁との間が後ばね４４により接続され、前記遮蔽ブロック２０の中には前記後スライド溝１９と前記前スライド溝３１との間に位置する糸巻きチャンバ３９が設けられ、前記糸巻きチャンバ３９の後壁には糸巻きモータ４１が固定的に設けられ、前記糸巻きモータ４１が起動しない時に自己ロック状態であり、前記糸巻きモータ４１の前端には糸巻き軸４２が動力が伝達できるように接続され、前記糸巻き軸４２にはリール４０が固定的に設けられ、前記リール４０には前引き線３５と、後引き線４３とが巻きつくように設けられ、前記前引き線３５の一端が前記伸長ブロック３４の右端に接続され、前記後引き線４３の一端が前記閉鎖板１８の左端に接続され、前記糸巻きモータ４１が起動する時、前記閉鎖板１８と前記伸長ブロック３４とが突き出て雨水の流れを導き、前記ヘルメット１０の中には張り出し装置２００が設けられ、前記張り出し装置２００は張り出しロッド１４を含み、前記張り出しロッド１４が前記遮蔽ブロック２０と接続され、前記張り出しロッド１４が上へ運動する時に前記遮蔽ブロック２０を連動させて上へ運動させ、前記ヘルメット１０の中にはガイド装置３００が設けられ、前記ガイド装置３００と前記張り出し装置２００との間が伝動できるように係合される。
【００１４】
有益的には、前記伸長ブロック３４には収容溝４５が設けられ、前記収容溝４５の前後壁の間には接続軸４６が回転できるように設けられ、前記接続軸４６には阻み板３２が固定的に設けられ、前記阻み板３２には上へ開口したガイド溝３３が設けられ、前記ガイド溝33は中間が高くて前後両側が低く、これにより水の流れを前後両側に導いて流出させる役割を果たし、前記収容溝４５の底壁の中には前記収容溝４５と連通するばね溝３７が設けられ、前記ばね溝３７の底壁と前記阻み板３２の下端面との間が押圧ばね３８により接続され、これにより前記伸長ブロック３４を前記前スライド溝３１から張り出す時、前記阻み板３２が前記押圧ばね３８の作用のもとで跳ね上がる。
【００１５】
有益的には、前記張り出し装置２００は前記ヘルメット１０の中に設置されるモータチャンバ２６を含み、前記モータチャンバ２６の中には張り出しモータ１７が固定的に設けられ、前記ヘルメット１０の中にはネジ山ロッドチャンバ１６が設けられ、前記張り出しモータ１７には前記ネジ山ロッドチャンバ１６の中に伸びている主動ネジ山ロッド１５が動力が伝達できるように接続され、前記ネジ山ロッドチャンバ１６の中には前記張り出しロッド１４がスライドできるように設けられ、前記張り出しロッド１４の中にはネジ山チャンバ１３が設けられ、前記主動ネジ山ロッド１５と前記ネジ山チャンバ１３とがネジ山により接続され、前記張り出しロッド１４の後端面にはラック２８が固定的に設けられ、前記ヘルメット１０には、押されることができ、且つ前記張り出しモータ１７と電気的に係合される制御ボタン２７が設けられ、前記ガイド装置３００は前記ヘルメット１０の中に設置される下収納溝２２を含み、前記下収納溝２２が前記ネジ山ロッドチャンバ１６と連通し、前記下収納溝２２の後壁には固定ブロック２５が固定的に設けられ、前記固定ブロック２５には中空回転軸３０が回転できるように設けられ、前記中空回転軸３０の一端には前記ラック２８と噛み合うギヤ２９が固定的に設けられ、前記ギヤ２９の中には前記固定ブロック２５とスライドできるように係合されるリードスクリュー２４がネジ山により接続され、前記リードスクリュー２４の右端にはガイド板２３が固定的に設けられ、これにより前記張り出し装置２００が上へ突き出る時に前記ガイド装置３００を連動させて突き出させる。
【００１６】
有益的には、前記ヘルメット１０には回転できる保護メガネ１１が設けられ、前記ヘルメット１０の中には空きチャンバ１２が設けられる。
【００１７】
前記の多機能防護ヘルメットの実現方法は、以下のステップを含む：
【００１８】
使用者が頭を空きチャンバ１２の中に入れてヘルメット１０を着用し、雨や雪の日であれば、制御ボタン２７を押して張り出しモータ１７を始動し、主動ネジ山ロッド１５が回転して張り出しロッド１４を上へ運動させ、また遮蔽ブロック２０を連動させて上へ運動させ、張り出しロッド１４がラック２８によりギヤ２９を連動させて回転させ、これによりリードスクリュー２４がガイド板２３を連動させて突き出させ、張り出しロッド１４が指定された位置まで突き出る時、張り出しモータ１７が閉じ、糸巻きモータ４１が起動して糸巻き軸４２によりリール４０を連動させて回転させて線を引き出し始め、閉鎖板１８が後ばね４４の作用のもとで突き出、閉鎖板１８が突き出た後、上収納溝２１の右側を閉鎖し、雨水が上収納溝２１の中に入ることを防止し、雨水の流れをガイド板２３に導いて流出させ、伸長ブロック３４が前ばね３６の作用のもとで突き出、伸長ブロック３４が突き出た後、阻み板３２が押圧ばね３８の作用のもとで跳ね上がり、雨水がガイド溝３３の作用のもとで前後両側に導かれて流出する。
【００１９】
復帰する時、再び制御ボタン２７を押して糸巻きモータ４１と、張り出しモータ１７とを順に逆方向へ回転させて復帰させる。
【００２０】
以上により、本発明は構成が簡単で、使用が便利で、使用する時、もし雨や雪の日であれば、制御ボタンを押し、使用者の前側の雨水を分流させ、また雨水を遮ることができ、保護メガネに流れて視線に影響することを防止し、使用者の安全を大いに保証し、同時に本発明は使用者の後側の雨水をガイドすることができ、服の中に流れ込むことを防止し、使用者の快適な乗り心地を保証する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。